(57)【要約】【課題】  見出し語検索のリスト画面における一覧性を向上させ、目的とする見出し語を少ないキー操作で探し出せる辞書検索装置の提供。【解決手段】  見出し語に対応させて単語の語義と成句データとを保持する辞書データを用いて、指定される検索単語の語義を検索する辞書検索装置であって、前記検索単語の指定を受け付ける検索単語指定受付手段と、前記検索単語指定受付手段により受け付けた前記検索単語に対応する見出し語の候補を前記辞書データを用いて検索する見出し語検索手段と、前記見出し語検索手段により検索された見出し語の候補に対応する語義を前記辞書データを用いて検索する語義検索手段と、前記語義検索手段により検索された語義の一部を前記検索候補として表示する表示手段と、前記検索候補のうち、選択されている検索候補を選択されていない他の候補とは異なる表示態様で表示させる表示制御手段と、を備えることを特徴とする。【選択図】  図１
2009205490.tif 000002
【特許請求の範囲】
【請求項１】
見出し語に対応させて単語の語義と成句データとを保持する辞書データを用いて、指定される検索単語の語義を検索する辞書検索装置であって、
前記検索単語の指定を受け付ける検索単語指定受付手段と、
前記検索単語指定受付手段により受け付けた前記検索単語に対応する見出し語の候補を前記辞書データを用いて検索する見出し語検索手段と、
前記見出し語検索手段により検索された見出し語の候補に対応する語義を前記辞書データを用いて検索する語義検索手段と、
前記語義検索手段により検索された語義の一部を前記検索候補として表示する表示手段と、
前記検索候補のうち、選択されている検索候補を選択されていない他の候補とは異なる表示態様で表示させる表示制御手段と、
を備えることを特徴とする辞書検索装置。
【請求項２】
前記表示手段の同一画面内に表示する前記検索候補の数を切り替える表示切替手段を有することを特徴とする請求項１に記載の辞書検索装置。
【請求項３】
前記表示制御手段は、前記検索候補のうち、選択されている検索候補を選択されていない検索候補よりも広い表示面積で表示させることを特徴とする請求項１に記載の辞書検索装置。
【請求項４】
前記表示制御手段は、前記検索候補のうち、あらかじめ前記辞書データで規定された見出し語の重要度によって異なる表示態様で表示するように制御することを特徴とする請求項１に記載の辞書検索装置。
【請求項５】
見出し語に対応させて単語の語義と成句データとを保持する辞書データを用いて、指定される検索単語の語義を検索する辞書検索方法であって、
前記検索単語の指定を受け付ける検索単語指定受付ステップと、
前記検索単語に対応する見出し語の候補を前記辞書データを用いて検索する見出し語検索ステップと、
前記見出し語の候補に対応する語義を前記辞書データを用いて検索する語義検索ステップと、
前記検索された語義の一部を前記検索候補として表示する表示ステップと、
前記検索候補のうち、選択されている検索候補を選択されていない他の候補とは異なる表示態様で表示させる表示制御ステップと、
を含むことを特徴とする辞書検索方法。
【請求項６】
表示形態の切り替え指示を受け付ける切り替え指示受付ステップと、
前記切り替え指示を受け付ける度に、同一画面上に表示する検索候補の数を切り替える表示形態切替ステップと、
を更に含むことを特徴とする請求項５に記載の辞書検索方法。
【請求項７】
見出し語に対応させて単語の語義と成句データとを保持する辞書データを用いて、指定される検索単語の語義を検索する辞書検索装置を制御するコンピュータに、
前記検索単語の指定を受け付ける検索単語指定受付ステップと、
前記検索単語に対応する見出し語の候補を前記辞書データを用いて検索する見出し語検索ステップと、
前記見出し語の候補に対応する語義を前記辞書データを用いて検索する語義検索ステップと、
前記検索された語義の一部を前記検索候補として表示する表示ステップと、
前記検索候補のうち、選択されている検索候補を選択されていない他の候補とは異なる表示態様で表示させる表示制御ステップと、
を実行させることを特徴とする辞書検索プログラム。
【請求項８】
表示形態の切り替え指示を受け付ける切り替え指示受付ステップと、
前記切り替え指示を受け付ける度に、前記同一画面上に表示する検索候補の数を切り替える表示形態切替ステップと、
を更に実行させることを特徴とする請求項７に記載の辞書検索プログラム。
【発明の詳細な説明】
【技術分野】
【０００１】
本発明は、辞書検索装置、辞書検索方法及び辞書検索プログラムに関する。
【背景技術】
【０００２】
近年、複数の電子化した辞書を内蔵し、様々な単語の意味などを検索する電子辞書が実用化されている。該電子辞書装置では、何らかの語彙を調べる場合、単語が入力されると、複数の辞書から、その単語に対応する見出し語リストを表示し、見出し語リストで選択された見出し語の訳の一部をプレビュー表示して、見出し語リスト画面での見出し語選択を容易にするものがある（例えば、特許文献１参照）。
【特許文献１】特開２００１−１３４５６８号公報
【発明の開示】
【発明が解決しようとする課題】
【０００３】
上述したように、特許文献１に記載の従来の辞書検索装置では、検索リスト画面で選択された一つの見出し語に対してのみのプレビュー表示しか行わないため、目的とする見出し語を紙の辞書で探し出す場合と比べて、辞書の一覧性が劣っていた。例えば同じつづりの見出し語が複数ある場合で、自分が探し出したい見出し語がどれなのか、検索リスト画面で瞬時に判断することが出来ない、という問題があった。
【０００４】
一方、紙の辞書を用いて単語を探し出す場合は、周辺の見出し語の語義内容も自然と目に入るため、従来の電子辞書と比較すると一覧性は高いと言える。
【０００５】
本発明はこのような事情を鑑みてなされたものであり、検索リスト画面で複数の見出し語のプレビュー画面を同時に表示することで、検索リスト画面の一覧性を向上させ、目的とする見出し語を出来るだけ少ない操作で探し出せるようにすることを目的とする。
【課題を解決するための手段】
【０００６】
上述した課題を解決するために、本発明の辞書検索装置では、見出し語に対応させて単語の語義と成句データとを保持する辞書データを用いて、指定される検索単語の語義を検索する辞書検索装置であって、前記検索単語の指定を受け付ける検索単語指定受付手段と、前記検索単語指定受付手段により受け付けた前記検索単語に対応する見出し語の候補を前記辞書データを用いて検索する見出し語検索手段と、前記見出し語検索手段により検索された見出し語の候補に対応する語義を前記辞書データを用いて検索する語義検索手段と、前記語義検索手段により検索された語義の一部を前記検索候補として表示する表示手段と、前記検索候補のうち、選択されている検索候補を選択されていない他の候補とは異なる表示態様で表示させる表示制御手段と、を備えることを特徴とする。
【０００７】
上述した課題を解決するために、本発明の辞書検索装置では、前記表示手段の同一画面内に表示する前記検索候補の数を切り替える表示切替手段を有することを特徴とする。
【０００８】
上述した課題を解決するために、本発明の辞書検索装置では、前記表示制御手段は、前記検索候補のうち、選択されている検索候補を選択されていない検索候補よりも広い表示面積で表示させることを特徴とする。
【０００９】
上述した課題を解決するために、本発明の辞書検索装置では、前記表示制御手段は、前記検索候補のうち、あらかじめ前記辞書データで規定された見出し語の重要度によって異なる表示態様で表示するように制御することを特徴とする。
【００１０】
上述した課題を解決するために、本発明の辞書検索方法では、見出し語に対応させて単語の語義と成句データとを保持する辞書データを用いて、指定される検索単語の語義を検索する辞書検索方法であって、前記検索単語の指定を受け付ける検索単語指定受付ステップと、前記検索単語に対応する見出し語の候補を前記辞書データを用いて検索する見出し語検索ステップと、前記見出し語の候補に対応する語義を前記辞書データを用いて検索する語義検索ステップと、前記検索された語義の一部を前記検索候補として表示する表示ステップと、前記検索候補のうち、選択されている検索候補を選択されていない他の候補とは異なる表示態様で表示させる表示制御ステップと、を含むことを特徴とする。
【００１１】
上述した課題を解決するために、本発明の辞書検索方法では、表示形態の切り替え指示を受け付ける切り替え指示受付ステップと、前記切り替え指示を受け付ける度に、同一画面上に表示する検索候補の数を切り替える表示形態切替ステップと、を更に含むことを特徴とする。
【００１２】
上述した課題を解決するために、本発明の辞書検索プログラムでは、見出し語に対応させて単語の語義と成句データとを保持する辞書データを用いて、指定される検索単語の語義を検索する辞書検索装置を制御するコンピュータに、前記検索単語の指定を受け付ける検索単語指定受付ステップと、前記検索単語に対応する見出し語の候補を前記辞書データを用いて検索する見出し語検索ステップと、前記見出し語の候補に対応する語義を前記辞書データを用いて検索する語義検索ステップと、前記検索された語義の一部を前記検索候補として表示する表示ステップと、前記検索候補のうち、選択されている検索候補を選択されていない他の候補とは異なる表示態様で表示させる表示制御ステップと、を実行させることを特徴とする。
【００１３】
上述した課題を解決するために、本発明の辞書検索プログラムでは、表示形態の切り替え指示を受け付ける切り替え指示受付ステップと、前記切り替え指示を受け付ける度に、前記同一画面上に表示する検索候補の数を切り替える表示形態切替ステップと、を更に実行させることを特徴とする。
【発明の効果】
【００１４】
以上に説明したように、本発明によれば、見出し語リスト画面で最初に選択されている見出し語に対応するプレビュー画面だけでなく、その近くの見出し語に対応するプレビュー画面を一度に表示するため、ユーザーが探し出したい見出し語が最初に選択表示されていなくても、キー操作をすることなく周辺の見出し語のプレビューを確認でき、目的とする見出し語により容易にたどり着くことが出来るという効果がある。
【００１５】
また、本発明によれば、同一画面に表示する見出し語の数を切り替える事ができるため、使用者が状況に応じてプレビュー画面の表示領域を変更し、同一画面上でもより広い表示領域で複数の見出し語のプレビュー画面を確認することができるという効果がある。
【発明を実施するための最良の形態】
【００１６】
以下、本発明の一実施形態を、図面を参照して説明する。
【００１７】
図１は、本実施形態による電子辞書の構成を示すブロック図である。図１において、電子辞書１０は、制御部１１、入力部１２、表示部１３、辞書データ記憶部１４及びＲＡＭ１５から略構成されている。まず、制御部１１は、各部の動作を制御する。特に、本実施例では、辞書の検索、表示制御などを行う。入力部１２は、各種文字や、動作指示を行うための機能キー（カーソルキー、決定キーなどを含む）からなるキーボード１２ａを備えている。表示部１３は、液晶ディスプレイなどからなり、ユーザにより検索された文書や、検索を行うための画面などを表示する。辞書データ記憶部１４は、複数の辞書の辞書データ１４ａを保持している。該辞書データ１４ａには、見出し語とその語義（訳）、成句データ及び例文データなどが、所定の手法により紐付けて保持されている。ＲＡＭ１５は、各種データの一次保持手段として用いられ、特に、検索文字などを一時的に記憶する文字データ一時記憶部１５ａを有する。
【００１８】
次に、図２は電子辞書の外観構成を示す外観図である。なお、図１に対応する部分には同一の符号を付けて説明を省略する。電子辞書１０は、表示部１３が設けられた蓋部１７とキーボード１２ａが設けられた本体部１８とがヒンジ１９により二つ折可能な構造となっている。本体部１８には、キーボード１２ａとして、電源キー２１、アルファベットキー２２、切替キー２３、カーソルキー２４、決定／訳キー２６を備えている。
【００１９】
アルファベットキー２２は、文字入力用のキーである。切替キー２３は、表示形態を切り替えるためのキーである。本実施形態では、見出し語リストとその訳を表示するプレビュー画面上で、見出し語表示やプレビュー表示の表示形態を切り替えるために用いる。カーソルキー２４はメイン画面でカーソルを移動させるためのキーであり、特に、メイン画面に表示されている文章をスクロールしたり、文書内でカーソルを移動したりするためのキーである。決定／訳キー２６は、検索する単語を決定したり、辞書選択を決定したりするためのキーである。
【００２０】
次に、本発明の動作について説明する。
【００２１】
図３および図４は、本実施形態の動作を説明するためのフローチャートである。まず、使用者がキーボード１２ａなどを用いて、使用辞書を選択すると（ステップＳ１）、制御部１１は、該選択された辞書の辞書検索用データを読み出す（ステップＳ２）。次に、使用者が検索したい文字をキーボード１２ａから入力する（ステップＳ３）。制御部１１は、文字が入力されたことを示す文字入力信号を受信すると、辞書データから見出し語リストを検索する（ステップＳ４）。さらに制御部１１は、見出し語リストに対応する語義を検索し、その一部を検索候補リストとして表示部１３に表示する（ステップＳ５）。
【００２２】
これに対して、使用者がキーボード１２ａを用いて、見出し語のリストから所望する見出し語を選択する（ステップＳ６）。なお、デフォルトでは、最上位位置の見出し語が選択されているが、中央や他の位置の見出し語が最初に選択されるようにしてもよい。制御部１１は選択された検索候補の表示態様を変更し、他の検索候補とは異ならせて表示する（ステップＳ７）。
【００２３】
この結果、図５に示す画面１００のように、見出し語と語義の一部のプレビュー画面が検索リストとして表示される。このとき、選択中の見出し語に対応する訳のプレビュー画面は、それ以外の見出し語に対応する訳のプレビューと異なる表示態様で表示しても良い。例えば、画面１０１のように選択中の見出し語のプレビューを他のプレビューより、表示行数を多くする方法、画面１０２のように、文字サイズを大きくする方法などがあり、これらを組み合わせて表示態様を異ならせても良い。
【００２４】
また図７に示すように、単語の重要度に応じて表示態様を異ならせて表示しても良い。この場合は、予め辞書データに単語の重要度を判別するためのデータも含まれるとする。図７では最上部の検索候補「ｓｔａｒｔ」は基本単語なので大きい文字で表示し、最下部の「ｓｔａｒｔｅｒ  ｌｉｓｔ」などは小さい文字で表示している。
【００２５】
図５の画面１００の状態で切替キー２３を押すと（ステップＳ８）、図６の画面２００、２０１、２０２に示すように、表示する見出し語数を減らして、プレビュー画面で表示される文字数が増えるように画面が順次切り替わる（ステップＳ９）。
【００２６】
次に、各画面において、決定／訳キー２６が操作されたか否かを判定し（ステップＳ１０）、決定／訳キー２６が操作されなければ、ステップＳ８に戻り、上述した表示の切り替え動作を行える状態を保持する。なお、各画面においては、カーソルキー２４による操作で、見出し語の選択や、リストのスクロールなどを行うことができる。
【００２７】
一方、決定／訳キー２６が操作されると、その時点で、選択されていた見出し語の語義を全画面で表示する（ステップＳ１１）。
【００２８】
次に、使用者により別の単語の語義を調べる指示があったか否かを判定し（ステップＳ１２）、別の単語の語義を調べる指示があった場合には、ステップＳ６に戻り、上述した処理を繰り返す。一方、別の単語の語義を調べる指示がなかった場合には、使用者により別の検索を行うかの指示があったか否かを判定し（ステップＳ１３）、別の検索が指示された場合には、文字データ記憶部１５ａに一時記憶したデータを消去し（ステップＳ１４）、ステップＳ３に戻り、上述した処理を繰り返す。また、別の単語の語義を調べる指示がなく、かつ、別の検索も指示されない場合には、当該処理を終了する。
【００２９】
上述した実施形態によれば、見出し語の検索時に、見出し語リスト画面で複数の見出し語に対応するプレビューを同時に確認できるので、目的とする見出し語が最初に選択された見出し語でない場合でも、周辺の見出し語を容易に探し出す事ができ、特に同綴りの見出し語が複数ある場合に効果的である。また、切り替えキーを押すたびに、一つの画面に表示する見出し語数が切り替わり、プレビュー画面の表示領域を増やせるようにしたので、使用者が状況に応じて任意の表示スタイルに変更する事ができ、利便性を向上させることができる。
【００３０】
また、上述した実施形態において、制御部１１による各ステップを実現するためのプログラムをコンピュータ読み取り可能な記録媒体に記録して、また、制御部１１における処理部の機能を実現するためのプログラムをコンピュータ読み取り可能な記録媒体に記録して、この記録媒体に記録されたプログラムをコンピュータシステムに読み込ませ、実行することにより、符号化処理、及び復号化処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】本実施形態による電子辞書の構成を示すブロック図である。
【図２】本実施形態による電子辞書の外観構成を示す外観図である。
【図３】本実施形態の動作を説明するためのフローチャートである。
【図４】本実施形態の動作を説明するためのフローチャートである。
【図５】本実施形態による電子辞書の表示例を示す模式図である。
【図６】本実施形態による電子辞書の表示例及び画面遷移を示す模式図である。
【図７】本実施形態による電子辞書の表示例を示す模式図である。
【符号の説明】
【００３３】
１０  電子辞書
１１  制御部（見出し語検索手段、語義検索手段、成句データ有無判定手段、表示制御手段、例文データ有無判定手段、表示形態切替手段）
１２  入力部（検索単語指定受付手段）
１２ａ  キーボード
１３  表示部（表示手段）
１４  辞書データ記憶部
１４ａ  辞書データ
１５  ＲＡＭ
１５ａ  文字データ一時記憶部
１７  蓋部
１８  本体部
１９  ヒンジ
２１  電源キー
２２  アルファベットキー
２３  切替キー（切り替え指示手段）
２４  カーソルキー
２６  決定／訳キー
【図１】
2009205490.tif 000003
【図２】
2009205490.tif 000004
【図３】
2009205490.tif 000005
【図４】
2009205490.tif 000006
【図５】
2009205490.tif 000007
【図６】
2009205490.tif 000008
【図７】
2009205490.tif 000009